(57)【要約】      （修正有）【課題】柔軟性手提げ袋を個別に、また、容易に折り畳んで収納パック自体に収納できることから、バッグからの出し入れが容易にできる携帯用手提げ袋収納バッグの提供。【解決手段】本体部の中心に縦状に折り畳んだ手提げ袋を収納するためのポケット部５の解放口６を設け、この解放口６を若干開けて折り畳み手提げ袋を出し入れしている。ポケット部５の中央部には、テープ状の補強剤を縦状に逢着して収納バッグを手提げ袋の把手補強材（グリップ）として用いるときに、手に食い込むことを防止している。ポケット部５の反対側には２個の突起状テープ（雄）を逢着し、ポケット部の表面側に設けた１個の突起状テープ（雌）と合致できるようになっており、携帯用手提げ袋収納バッグの不使用時に手提げ袋を収納して収納バッグ１自体を三つ折り状態となるように設計している。【選択図】図２
0003121669.tif 000002
【実用新案登録請求の範囲】
【請求項１】
小さく折畳み可能な柔軟性シートからなる手提げ袋と、該手提げ袋を折畳んだ状態で収納する収納袋とからなる携帯用手提げ袋収納バッグにおいて、前記収納バックは、柔軟性シートからなる収納部の周縁部と収納部のポケット上を横断するように硬めのテープ状補強材を逢着して、手提げ袋の使用時には手提げ袋の把手部用吊手として別途用いると共に、
手提げ袋の不使用時には収納部のポケット部に収納してその状態で収納体本体を巻き付けて、収納体に設けられた突起状テープで装着することによって三つ折りに折り畳むことを特徴とする携帯用手提げ袋収納バッグ。
【請求項２】
前記収納バックは、上端部に吊下げ用フックを設けてかばん等の紐に掛けて運ぶことを特徴とする請求項１記載の携帯用手提げ袋収納バッグ。
【考案の詳細な説明】
【技術分野】
【０００１】
本考案は、携帯用手提げ袋収納バッグに関し、更に詳しくは、内部に折畳み用手提げ袋を収納し、手提げ袋に荷物が満杯に成り手提げ袋の把手が手に食込む時に、収納バックを把手補強材として別途用い、さらにバッグ自体に取付けたフック部でカバン等に容易に装着可能とした新規な携帯用手提げ袋収納バッグである。
【背景技術】
【０００２】
従来、品物を入れる袋部の上部にアーチ形の一対の提げ手を一体的に備えた布製の手提げ袋は公知であり、更に手提げ袋に荷物を入れずに空の状態で携帯するために、手提げ袋の袋体の内側に小袋部を設け、折畳んで袋体をその小袋部に収めてコンパクトな形状に変形して携行できる折畳み手提げ袋も公知である（特開２００２−１０８１７号公報）。
【０００３】
同様に、実用新案第２５６３９２８号「手提げ袋」には、「品物を入れるための袋部の上端部に一対のアーチ状提げ手を一体に備えた柔軟性シートからなる小さく折り畳み可能な袋本体と、該袋本体の使用時には提げ手に巻き付けることによりグリップとして機能し、袋本体の不使用時には折り畳んだ該袋本体を包込むことによりカバーとして機能する補助部材とで構成され、上記補助部材が、柔軟性シートにより折り畳み自在に形成されていて、中央部にテープ状をなす硬めの補強材が該補助部品を横断するように取付けられると共に、該補強材の取付位置において上記袋体に紐で連結されている手提げ袋」が開示されている。
【特許文献１】特開２００２−１０８１７号公報
【特許文献２】実用新案第２５６３９２８号公報
【考案の開示】
【考案が解決しようとする課題】
【０００４】
上記、実用新第２５６３９２８号に開示する手提げ袋は、手提げ袋を柔軟性シートで製造する為に容易に折り畳むことが可能であり、又、袋本体をグリップとして用いることができる点では従来の折り畳み袋より優れているが、手提げ袋と袋体が紐で連結されているために折り畳み時に不便さを有していた。
【０００５】
また、折畳んだ状態で袋本体で包込んで携帯する場合には、ポケットやカバン等の中に収納しなければならないために、必要な時に直ぐに出せないという課題があった。
【課題を解決するための手段】
【０００６】
本考案者は、掛かる課題を解決するために鋭意研究したところ、フック付き収納袋に柔軟性シートからなる折り畳み手提げ袋を収納し、また、収納袋の縁部やポケット部の中央にテープ状の硬い樹脂を補強材として直接あるいは半折りして縫着せしめることによって、軽量且つ強度に優れた手提げ袋の吊手として使用できることを見いだし、本考案の携帯用手提げ袋収納バッグを提出できた。
【０００７】
すなわち本考案の第一は、小さく折畳み可能な柔軟性シートからなる手提げ袋と、該手提げ袋を折畳んだ状態で収納する収納袋とからなる携帯用手提げ袋収納バッグにおいて、前記収納バックは、柔軟性シートからなる収納部の周縁部と収納部のポケット上を横断するように硬めのテープ状補強材を逢着して、手提げ袋の使用時には手提げ袋の把手部用吊手として別途用いると共に、手提げ袋の不使用時には収納部のポケット部に収納してその状態で収納体本体を巻き付けて、収納体に設けられた突起状テープで装着することによって三つ折りに折り畳むことを特徴とする携帯用手提げ袋収納バッグである。
【０００８】
本考案の第二は、前記収納バックは、上端部に吊下げ用フックを設けてかばん等の紐に掛けて運ぶことを特徴とする請求項１記載の携帯用手提げ袋収納バッグである。
【考案の効果】
【０００９】
本考案の携帯用手提げ袋収納バッグは、柔軟性手提げ袋を個別に、また、容易に折畳んで収納パッグ自体に収納できることから、バッグからの出し入れが容易にできるようになっている。
【００１０】
また、バッグの一端部にフックをとりつけてあることから、カバン等の携帯物の紐体に引っ掛けておくことができるために、従来のようにポケットやカバン内部に入れて携帯するということはないため買い物時に直ぐに取り出せるという効果を有するものである。
【考案を実施するための最良の形態】
【００１１】
以下、図面を参照して本考案の詳細を説明するが、本考案の範囲はこれらに限定されないものである。
【実施例１】
【００１２】
図１は、本考案の携帯用手提げ袋収納バッグの不使用時の態様を示す斜視図である。収納バック１は、２枚の柔軟性シート材４を重ねて逢着した本体部の端部を補強材で被覆して縁部補強材３とし、さらにその一端部にカバン等の紐体に取付けるフック２を取付けている。
【００１３】
図２は、収納バックを開いた状態を示す平面図であるが、本体部の中心に縦状に折畳んだ手提げ袋を収納するためのポケット部５の解放口６を設け、この解放口６を若干開けて折畳み手提げ袋を出し入れしている。
【００１４】
また、ポケット部５の中央部には、テープ状の補強材を縦状に逢着して収納バッグを手提げ袋の把手補強材（グリップ）として用いるときに、手に食込むことを防止している。
【００１５】
一方、図２に示すようにポケット部５の反対側には２個の突起状テープ（雄）７を逢着し、ポケット部の表面側に設けた１個の突起状テープ（雌）１０と合致できるようになっており、携帯用手提げ袋収納バッグの不使用時に、手提げ袋を収納して収納バッグ１自体を三つ折り状態となるように設計している。
【００１６】
図４は、本考案の手提げ袋を使用した場合の態様を示す斜視図である。手提げ袋は、柔軟性シート材からなる素材を袋状に縫製した柔軟性手提げ袋１１であるが、手提げ部の近傍に中蓋１２を設け、一対の突起状テープ（図示せず）を該中蓋に取付けて使用時に内部の食品が飛び出さないように保護している。
【図面の簡単な説明】
【００１７】
【図１】本考案の携帯用手提げ袋収納バッグの不使用時の態様を示す斜視図である。
【図２】図１における収納バッグを開いた状態を示す平面図である。
【図３】図２の収納バックを半折りにした状態を説明する平面図である。
【図４】本考案の携帯用手提げ袋収納バッグの使用時の態様を示す斜視図である。
【符号の説明】
【００１８】
１・・・収納バック
２・・・フック
３・・・縁部補強材
４・・・柔軟シート材
５・・・ポケット部
６・・・解放口
７・・・突起状テープ（雄）
８・・・ポケット部補強材
９・・・フック部補強材
１０・・突起状テープ（雌）
１１・・柔軟性手提げ袋
１２・・中蓋
【図１】
0003121669.tif 000003
【図２】
0003121669.tif 000004
【図３】
0003121669.tif 000005
【図４】
0003121669.tif 000006